(57)【要約】  【課題】  同一の装置を複数の操作者で利用する時に、操作者ごとに設定を登録または変更でき、またいずれの操作者の設定で装置が動作しているかを容易に識別できる超音波診断装置を提供する。  【解決手段】  同一の装置を複数人のＤｏｃｔｏｒで時間割または日割りで共有して使用する場合に、Ｄｏｃｔｏｒ個々の好みの装置設定を、Ｄｏｃｔｏｒ名記録用メモリ１５、プリセット記録用メモリ１６、カラー記録用メモリ１７に予め登録し、自らのプリセット設定を読み出すことで、簡単に設定変更を行うことができ、選択Ｄｏｃｔｏｒ記録用メモリ１８に記録されたＤｏｃｔｏｒに対応して、現在選択および表示されているプリセットデータの設定が表示画面上のＤｏｃｔｏｒ名および色で識別可能になる。【選択図】  図１
2005103066.tif 000002
【特許請求の範囲】
【請求項１】
超音波診断装置の稼働状態を決める複数のパラメータに関する情報をプリセットデータとして複数組登録可能な不揮発性の第１の記憶手段と、
前記プリセットデータに対して一対一で対応付けられる操作者が判別できる情報を登録可能な不揮発性の第２の記憶手段と、
前記プリセットデータに対して一対一で対応付けられる現在使用中のプリセットデータを画面上の色で識別するための色情報を登録可能な不揮発性の第３の記憶手段と、
前記複数組登録されたプリセットデータを、前記複数組登録された操作者が判別できる情報の中から、または前記複数組登録された色情報の中から、あるいは前記複数組登録された操作者が判別できる情報と前記複数組登録された色情報とともに、１組を相互に関連付けて選択するための第４の記憶手段とを備えた超音波診断装置。
【請求項２】
超音波診断装置の稼働状態を決める複数のパラメータに関する情報をプリセットデータとして複数組登録可能な不揮発性の第１の記憶手段と、
前記プリセットデータに対して一対一で対応付けられる操作者が判別できる情報を登録可能な不揮発性の第２の記憶手段と、
前記プリセットデータに対して一対一で対応付けられる現在使用中のプリセットデータを画面上の文字の大きさあるいは形状で識別するための文字種別情報を登録可能な不揮発性の第３の記憶手段と、
前記複数組登録されたプリセットデータを、前記複数組登録された操作者が判別できる情報の中から、または前記複数組登録された文字種別情報の中から、あるいは前記複数組登録された操作者が判別できる情報と前記複数組登録された文字種別情報とともに、１組を相互に関連付けて選択するための第４の記憶手段とを備えた超音波診断装置。
【発明の詳細な説明】
【技術分野】
【０００１】
本発明は、超音波診断装置および画像診断装置に関し、装置の起動時またはイニシャル（初期化）時の装置状態を任意に設定するため、あるいは、操作者が好みの操作方法を選ぶための、通常、「プリセット」と呼ばれる登録機能を有する超音波診断装置に関するものである。
【背景技術】
【０００２】
従来の超音波診断装置は、図６に示すように、装置の稼働状態を決める複数のパラメータに関する情報をプリセットデータとして登録可能な不揮発性のメモリ回路３７と、本装置の稼働中に、複数のパラメータに関する情報のユーザから変更に基づくデータを求め、当該データをメモリ回路３７にプリセットデータの一部として記憶させる演算回路３６とを備える。例えば、演算回路３６は、複数のパラメータに関する情報として各パラメータの使用頻度を演算し、この使用頻度の演算結果を重み付け処理し、この重み付け結果に基づき、プリセットデータの表示画面における複数のパラメータの項目名の表示位置を変更させるように機能する（例えば、特許文献１参照）。なお、図６において、演算回路３６、メモリ回路３７以外の部分については、本願発明の本質部分とは直接関係せず、一般的な超音波診断装置の構成に相当するので説明を省略する。
【特許文献１】特開平１１−２０６７６７号公報
【発明の開示】
【発明が解決しようとする課題】
【０００３】
しかしながら、従来の超音波診断装置においては、様々な利用環境や、操作者の好みにより機能変更を行うことができるが、同一の装置を、複数の操作者で利用する時には、操作者の好みが異なると、操作者ごとに設定を変え、あるいは、自らの好みと異なる設定で使用していることに気づかずに操作を行い得る、という問題があった。
【０００４】
本発明は、上記の問題点に鑑みてなされたもので、その目的は、同一の装置を複数の操作者で利用する時に、操作者ごとに設定を登録または変更でき、さらに、いずれの操作者の設定で装置が動作しているかを容易に識別できる超音波診断装置を提供することにある。
【課題を解決するための手段】
【０００５】
前記の目的を達成するため、本発明に係る第１の超音波診断装置は、超音波診断装置の稼働状態を決める複数のパラメータに関する情報をプリセットデータとして複数組登録可能な不揮発性の第１の記憶手段（プリセット記録用メモリ）と、プリセットデータに対して一対一で対応付けられる操作者が判別できる情報を登録可能な不揮発性の第２の記憶手段（Ｄｏｃｔｏｒ名記録用メモリ）と、プリセットデータに対して一対一で対応付けられる現在使用中のプリセットデータを画面上の色で識別するための色情報を登録可能な不揮発性の第３の記憶手段（カラー記録用メモリ）と、複数組登録されたプリセットデータを、複数組登録された操作者が判別できる情報の中から、または複数組登録された色情報の中から、あるいは複数組登録された操作者が判別できる情報と複数組登録された色情報とともに、１組を相互に関連付けて選択するための第４の記憶手段（例えば、選択Ｄｏｃｔｏｒ記録用メモリ）とを含んで構成される。
【０００６】
この構成により、選択されているプリセットデータの設定が画面上の色で識別可能になるため、表示画面上のＤｏｃｔｏｒ名の文字だけの識別に比べて、より明確に識別できることようになり、プリセットデータの設定忘れや間違いなどにより、意図した状態と異なる設定で装置が継続使用されることを防止できる。
【０００７】
前記の目的を達成するため、本発明に係る第２の超音波診断装置は、超音波診断装置の稼働状態を決める複数のパラメータに関する情報をプリセットデータとして複数組登録可能な不揮発性の第１の記憶手段（プリセット記録用メモリ）と、プリセットデータに対して一対一で対応付けられる操作者が判別できる情報を登録可能な不揮発性の第２の記憶手段（Ｄｏｃｔｏｒ名記録用メモリ）と、プリセットデータに対して一対一で対応付けられる現在使用中のプリセットデータを画面上の文字の大きさあるいは形状で識別するための文字種別情報を登録可能な不揮発性の第３の記憶手段（文字種別記録用メモリ）と、複数組登録されたプリセットデータを、複数組登録された操作者が判別できる情報の中から、または複数組登録された文字種別情報の中から、あるいは複数組登録された操作者が判別できる情報と複数組登録された文字種別情報とともに、１組を相互に関連付けて選択するための第４の記憶手段（例えば、選択Ｄｏｃｔｏｒ記録用メモリ）とを含んで構成される。
【０００８】
この構成により、選択されているプリセットデータの設定が、画面上の文字の形状で識別可能になるため、プリセットデータの設定忘れや間違いなどにより、意図した状態と異なる設定で装置が継続使用されることを防止できる。
【発明の効果】
【０００９】
本発明によれば、１つの超音波診断装置を複数の使用者で、かつその使用者が個々に好みの装置設定で使用したい場合に、容易に設定を変更することができ、かつ、選択されているプリセットデータの設定が自分の好みの設定であるかを画面上の色や文字の大きさまたは形状で容易に識別可能にし、プリセットデータの設定忘れや間違いなどにより、意図した状態と異なる設定での継続使用を防止できる超音波診断装置を提供することが可能になる、という格別な効果を奏する。
【発明を実施するための最良の形態】
【００１０】
以下、本発明の好適な実施の形態について、図面を参照しながら詳細に説明する。
【００１１】
（第１の実施の形態）
図１は、本発明の第１の実施の形態に係る超音波診断装置の一構成例を示すブロック図である。
【００１２】
図１において、超音波プローブ１は、その一方の先端に圧電振動子を備え、超音波の送受信を行う。送信回路部２は、駆動電圧パルスを発生し、超音波プローブ１の振動子に供給し、それにより振動子から超音波パルスが送信される。この超音波パルスは被検体２０内を伝播しながら、音響インピーダンスの異なる境界面でその一部が反射してエコー信号を形成し、エコー信号の一部が振動子で受信され、対応する電圧信号に変換される。
【００１３】
受信回路部３は、超音波プローブ１で受信した電圧信号を増幅、遅延制御および加算する。受信回路部３の出力信号は、受信信号処理部４で、対数増幅、検波、およびＡ／Ｄ変換され、デジタル化されたＢモードのエコーデータとしてディジタル・スキャン・コンバータ（以下、ＤＳＣと略称する）５に送られる。
【００１４】
受信信号処理部４から送られてきたＢモードのエコーデータは、ＤＳＣ５により超音波走査から標準ＴＶ走査のデータに変換され、さらにＢモード画像データとして、フレームメモリに書き込まれ、一旦格納される。格納データは、適宜なフレームタイミングにて読み出され、グラフィック合成回路部６に渡される。グラフィック合成回路部６は、制御系回路部１０から送られるグラフィック画像とＢモード画像を合成し、合成画像はＴＶモニタ７に表示される。
【００１５】
一方、制御系回路部１０は、装置全体の駆動タイミング、送受信の制御、各種の計測、計測のための描画グラフィックデータの生成、並びに本発明に係るプリセット機能などの制御を担当する回路である。この制御系回路１０は、図１に示すように、ＣＰＵおよびワークメモリを備えた中央制御回路部１１を備え、中央制御回路部１１には、入力インターフェースとして操作卓１２が接続される。また、中央制御回路１１の出力インターフェースの一部が、グラフィック制御回路部１３、グラフィックメモリ１４を介して、前述したグラフィック合成回路部６に接続されている。また、中央制御回路１１の出力インターフェースの別の一部が、送信回路部２、受信回路部３、受信信号処理部４、ＤＳＣ５、グラフィック合成回路部６などに各種の制御信号を与えるために接続されている。
【００１６】
制御系回路部１０は、本発明に係る、操作者が判別できる情報、たとえば操作者本人の名前を記録するＤｏｃｔｏｒ名記録用メモリ１５（第２の記憶手段）、プリセット記録用メモリ１６（第１の記憶手段）、カラー記録用メモリ１７（第３の記憶手段）を備えている。本実施の形態では、Ｄｏｃｔｏｒ名記録用メモリ１５、プリセット記録用メモリ１６、カラー記録用メモリ１７がそれぞれ、Ａ、Ｂ、Ｃ、Ｄの４組のプリセットデータを記録できるメモリを有し、選択されているＤｏｃｔｏｒを記録するために、選択Ｄｏｃｔｏｒ記録用メモリ１８（第４の記憶手段）が設けらている。
【００１７】
次に、以上のように構成された超音波診断装置の動作について、図１に加えて、図２を参照して説明する。
【００１８】
中央制御回路部１１は、操作卓１２からの入力指示により、図２に示すプリセット登録用画面（この場合は、Ｄｏｃｔｏｒ  Ａ  の登録画面）をグラフィック制御回路１３、グラフィックメモリ１４、グラフィック合成回路部６を介して、ＴＶモニタ７に表示する。さらに、操作卓１２からの入力指示により、Ｄｏｃｔｏｒ名、ヘッダカラー（この場合、赤）と、送受信の制御のための設定、Ｂモード画像を表示する際の明るさや、表示サイズなどの後処理の設定、産科計測の際の週数推定方式、児体重推定方式の選択などの各種計測のための設定、等（プリセットデータ）をプリセット設定として選択し決定する。「Ｄｏｃｔｏｒ名」としては、基本的にはプリセットデータの登録者を示す情報であることが望ましい。決定されたＤｏｃｔｏｒ名は、Ｄｏｃｔｏｒ名記録用メモリ１５のメモリ部分Ａに記録され、ヘッダカラー（赤）は、カラー記録用メモリ１７のメモリ部分Ａに記録され、各種のプリセット設定は、プリセット記録用メモリ１６のメモリ部分Ａに記録される。同様にして、Ｄｏｃｔｏｒ  Ｂ  のプリセットデータが、Ｄｏｃｔｏｒ名記録用メモリ１５のメモリ部分Ｂに、カラー記録用メモリ１７のメモリ部分Ｂに、プリセット記録用メモリ１６のメモリ部分Ｂに記録され、さらに、Ｄｏｃｔｏｒ  Ｃ、Ｄｏｃｔｏｒ  Ｄのプリセットデータが記録される。
【００１９】
さらに、制御系回路部１０は、操作卓１２からの入力指示により、例えば、Ｄｏｃｔｏｒ  Ａを選択すると、選択Ｄｏｃｔｏｒ記録用メモリ１８にＤｏｃｔｏｒ  Ａ  が選択されていることを記録し、Ｄｏｃｔｏｒ  Ａのためのプリセットデータを、中央制御回路部１１が、Ｄｏｃｔｏｒ名記録用メモリ１５のメモリ部分Ａ、カラー記録用メモリ１７のメモリ部分Ａ、プリセット記録用メモリ１６のメモリ部分Ａから読み出し、中央制御回路部１１が、図３に示すような画面構成のためのグラフィックを、グラフィック制御回路１３、グラフィックメモリ１４、グラフィック合成回路部６を介して、グラフィック画像とＢモード画像を合成させ、ＴＶモニタ７に表示させる。このときの表示は、画面上部のヘッダ部には、Ｄｏｃｔｏｒ名記録用メモリ１５のメモリ部分Ａに記録されていたＤｏｃｔｏｒ名が表示され、カラー記録用メモリ１７のメモリ部分Ａに記録されていた色（赤）でヘッダ部が表示され、プリセット記録用メモリ１６のメモリ部分Ａに記録されていた明るさおよび表示サイズでＢモード画像が表示され、産科計測を行うと、登録されたいた週数推定方式、児体重推定方式を使用して、週数推定、児体重推定が行われ、画面に表示される。
【００２０】
さらに、制御系回路部１０は、操作卓１２からの入力指示により、例えば、Ｄｏｃｔｏｒ  Ｂを選択すると、プリセットデータを、Ｄｏｃｔｏｒ名記録用メモリ１５のメモリ部分Ｂ、カラー記録用メモリ１７のメモリ部分Ｂ、プリセット記録用メモリ１６のメモリ部分Ｂから読み出し、図４に示すような、Ｄｏｃｔｏｒ名、ヘッダ部の色（この場合、緑）で画面に表示を行う。
【００２１】
また、選択Ｄｏｃｔｏｒ記録用メモリ１８に記録された情報をもとに、電源投入時に、前回最後に使用されたＤｏｃｔｏｒの設定を、Ｄｏｃｔｏｒ名記録用メモリ１５、カラー記録用メモリ１７、プリセット記録用メモリ１６から読み出して、使用開始することが出来る。
【００２２】
以上のように、第１の実施の形態に係る超音波診断装置によれば、Ｄｏｃｔｏｒ名記録用メモリ１５、プリセット記録用メモリ１６、カラー記録用メモリ１７を備え、それぞれＡ、Ｂ、Ｃ、Ｄの４組のプリセットデータを記録できるメモリとを設けることにより、同一の装置を４人のＤｏｃｔｏｒで、時間割であるいは日割りで共有して使用する場合に、Ｄｏｃｔｏｒ個々の好みの装置設定を、Ｄｏｃｔｏｒ名記録用メモリ１５、プリセット記録用メモリ１６、カラー記録用メモリ１７に予め登録し、自らのプリセット設定を読み出すことで、簡単に設定変更を行うことが出来、現在選択および表示されているプリセットデータの設定が、表示画面上のＤｏｃｔｏｒ名で識別できることに加え、画面上の色で識別可能になるため、プリセットデータの設定忘れや間違いなどにより、意図した状態と異なる設定で装置が継続使用されることを防止できる。
【００２３】
（第２の実施の形態）
図５は、本発明の第２の実施の形態に係る超音波診断装置における画面表示例を示す図である。
【００２４】
図５において、文字は、図３の画面表示例とは、フォントを異ならせ、斜体にして、異なる形状としている。これは、図１のカラー記録用メモリ１７の代わりに、文字種別記録用メモリ（第３の記憶手段）を設け、文字の大きさあるいは形状に関する文字種別情報を記録することで実現できる。
【００２５】
以上のように、第２の実施の形態に係る超音波診断装置によれば、文字種別記録用メモリを設けることにより、現在選択および表示されているプリセットデータの設定が、Ｄｏｃｔｏｒ名で識別できることに加え、文字の大きさまたは形状でも識別可能になるため、プリセットデータの設定忘れや間違いなどにより、意図した状態と異なる設定で装置が継続使用されることを防止できる。
【００２６】
なお、以上の説明では、カラー記録用メモリに、ヘッダのカラー情報を記録した場合と、代わりに文字種別情報を記録した構成した例について説明したが、その他のＤｏｃｔｏｒ名のような、文字情報以外の識別情報を記録した場合の構成についても、文字だけの識別よりも、識別しやすい構成を実現可能である。
【００２７】
また、以上の説明では、プリセットデータの登録者、使用者をＤｏｃｔｏｒとして説明したが、Ｄｏｃｔｏｒの代わりに、超音波検査技師、あるいは、単に使用者として構成することも可能である。
【産業上の利用可能性】
【００２８】
本発明に係る超音波診断装置は、１つの超音波診断装置を複数の使用者で、かつその使用者が個々に好みの装置設定で使用をしたい場合に、容易に設定を変更することができ、かつ、選択されているプリセットデータの設定が自分の好みの設定であるかを画面上の色や文字の大きさまたは形状で容易に識別可能にし、プリセットデータの設定忘れや間違いなどにより、意図した状態と異なる設定での継続使用を防止できるという利点を有し、超音波診断装置および画像診断装置に関し、装置の起動時またはイニシャル（初期化）時の装置状態を任意に設定するため、あるいは、操作者が好みの操作方法を選ぶための、通常、「プリセット」と呼ばれる登録機能を有する超音波診断装置等として有用であり、医療等の用途に適用できる。
【図面の簡単な説明】
【００２９】
【図１】本発明の第１の実施の形態に係る超音波診断装置の一構成例を示すブロック図
【図２】本発明の第１の実施の形態に係る超音波診断装置におけるプリセット登録用画面の一例を示す図
【図３】本発明の第１の実施の形態に係る超音波診断装置における画面表示例１を示す図
【図４】本発明の第１の実施の形態に係る超音波診断装置における画面表示例２を示す図
【図５】本発明の第２の実施の形態に係る超音波診断装置における画面表示例を示す図
【図６】従来の超音波診断装置の一構成例を示すブロック図
【符号の説明】
【００３０】
１  超音波プローブ
２  送信回路部
３  受信回路部
４  受信信号処理回路部
５  ＤＳＣ
６  グラフィック合成回路部
７  ＴＶモニタ
１０  制御系回路部
１１  中央制御回路部
１２  操作卓
１３  グラフィック制御回路
１４  グラフィックメモリ
１５  Ｄｏｃｔｏｒ名記録用メモリ（第２の記憶手段）
１６  プリセット記録用メモリ（第１の記憶手段）
１７  カラー記録用メモリ（第３の記憶手段）
１８  選択Ｄｏｃｔｏｒ記録用メモリ（第４の記憶手段）
【図１】
2005103066.tif 000003
【図２】
2005103066.tif 000004
【図３】
2005103066.tif 000005
【図４】
2005103066.tif 000006
【図５】
2005103066.tif 000007
【図６】
2005103066.tif 000008